(57)【要約】【課題】  最適な２枚検知装置を選択し、より確実な２枚検知を行うための印刷準備をより迅速に行うことができる枚葉印刷機を提供する。【解決手段】  本印刷前の試し印刷時または本印刷時の先頭用紙供給時において、超音波式２枚検知装置２が２枚検知信号を出力するか否かが２枚検知装置制御部３にて判定される。この際、２枚検知信号を出力した場合は、誤って検知する場合と判定され、本印刷時においては光電式２枚検知装置１を採用すべく、２枚検知装置が切り替えられる。一方、２枚検知信号を出力しなかった場合は、適正に検知する場合と判定され、本印刷時においては引き続き超音波式２枚検知装置２を採用すべく、制御される。【選択図】          図１
2005305886.tif 000002
【特許請求の範囲】
【請求項１】
印刷用紙が一度に２枚以上重なって供給される２枚給紙状態と判断した際に２枚検知信号を出力する光電式２枚検知装置および超音波式２枚検知装置を備えた枚葉印刷機であって、
本印刷前の試し印刷時または本印刷時の先頭用紙供給時に、前記超音波式２枚検知装置が、前記２枚検知信号を出力した場合は、本印刷時における２枚検知装置として前記光電式２枚検知装置を採用し、前記２枚検知信号を出力しなかった場合は、本印刷時における２枚検知装置として前記超音波式２枚検知装置を採用すべく、本印刷時において採用する２枚検知装置を自動的に切り替える２枚検知装置制御部を具備することを特徴とする枚葉印刷機。
【請求項２】
印刷用紙が一度に２枚以上重なって供給される２枚給紙状態と判断した際に２枚検知信号を出力する光電式２枚検知装置および超音波式２枚検知装置を備えた枚葉印刷機であって、
前記本印刷前の試し印刷時または本印刷時の先頭用紙供給時に、前記超音波式２枚検知装置が前記２枚検知信号を出力した場合は、本印刷時における２枚検知装置として前記光電式２枚検知装置を採用し、
前記超音波式２枚検知装置が前記２枚検知信号を出力せず前記光電式２枚検知装置が前記２枚検知信号を出力した場合は、本印刷時における２枚検知装置として前記超音波式２枚検知装置を採用し、
前記光電式２枚検知装置および前記超音波式２枚検知装置がともに前記２枚検知信号を検出しなかった場合は、本印刷時における２枚検知装置として前記光電式２枚検知装置および前記超音波式２枚検知装置の少なくともいずれか一方を採用すべく、
本印刷時において採用する２枚検知装置を自動的に切り替える２枚検知装置制御部を具備することを特徴とする枚葉印刷機。
【請求項３】
印刷用紙が一度に２枚以上重なって供給される２枚給紙状態と判断した際に２枚検知信号を出力する光電式２枚検知装置および超音波式２枚検知装置を備えた枚葉印刷機であって、
本印刷前の試し印刷時または本印刷時の先頭用紙供給時に、前記超音波式２枚検知装置が、前記２枚検知信号を出力した場合は、本印刷時における２枚検知装置として前記光電式２枚検知装置を採用し、前記２枚検知信号を出力しなかった場合は、本印刷時における２枚検知装置として前記超音波式２枚検知装置を採用すべく、オペレータに報知する報知部を具備することを特徴とする枚葉印刷機。
【発明の詳細な説明】
【技術分野】
【０００１】
本発明は、供給される印刷用紙が一度に２枚以上重なっているか否かを検知する２枚検知装置を備えた枚葉印刷機に関し、特に、光電式および超音波式の２種の２枚検知装置をともに備えた枚葉印刷機に関する。
【背景技術】
【０００２】
枚葉印刷機においては、給紙部より１枚ずつ供給される印刷用紙が印刷部において１枚ずつ印刷される。この供給された印刷用紙が１枚であることを印刷前に確認し、印刷を確実なものとするために、給紙される印刷用紙が一度に２枚以上重なっている２枚給紙状態と判断した際に２枚検知信号を出力する２枚検知装置を具備する枚葉印刷機が公知である。
【０００３】
２枚検知装置には、印刷用紙に光を照射し、その透過光の差異により印刷用紙が２枚給紙状態か否かを検知する光電式２枚検知装置や、印刷用紙に超音波を照射し、空気層の有無（紙片が２枚以上重なっていれば、その紙片間に空気層が生じる）により印刷用紙が２枚給紙状態か否かを検知する超音波式２枚検知装置等が公知であり、用途に応じて使い分けている。
【０００４】
というのも、透明な印刷用紙や遮光性の高い印刷用紙では、透過光の差異が生じ難いため光電式２枚検知装置では正確に検知できない一方、表側の紙片と裏側の紙片とが重なって構成される封筒等の印刷用紙では、1枚の印刷用紙であっても紙片間の空気層が存在するため誤って２枚給紙状態と判断されてしまうため、超音波式２枚検知装置では正確に検知できないといった様に、いずれの２枚検知装置でも一長一短あり、適宜使い分ける必要があるからである。しかし、このような２枚検知装置の切り替えをオペレータが判断し、切り替えることは、煩雑である。また、外観だけではいずれに切り替えるか判断し難い場合もあり、誤った判断により切り替えた２枚検知装置を用いることで、結果として誤った２枚検知を行ってしまう場合が生じ得る。
【０００５】
このような問題を解決すべく、上記２種の２枚検知装置を同時に用い、少なくともいずれか一方が２枚検知信号を出力した場合、２枚給紙状態であると判断する２枚検知装置が公知となっている（特許文献１参照）。
【特許文献１】特開平６−２６３２８８号公報
【発明の開示】
【発明が解決しようとする課題】
【０００６】
しかし、特許文献１のような２枚検知装置においては、以下のような問題があった。すなわち、上述のように、例えば、封筒等、中空の構成を有する印刷用紙においては、１枚であっても超音波式２枚検知装置が２枚検知信号を出力してしまうため、特許文献１の２枚検知装置は、このような場合に依然として誤った検知を行ってしまうという問題があった。
【０００７】
本発明は、かかる従来技術の問題点を解決すべくなされたもので、最適な２枚検知装置を選択し、より確実な２枚検知を行うための印刷準備をより迅速に行うことができる枚葉印刷機を提供することを目的とする。
【課題を解決するための手段】
【０００８】
本発明に係る枚葉印刷機の一形態は、印刷用紙が一度に２枚以上重なって供給される２枚給紙状態と判断した際に２枚検知信号を出力する光電式２枚検知装置および超音波式２枚検知装置を備えた枚葉印刷機であって、本印刷前の試し印刷時または本印刷時の先頭用紙供給時に、前記超音波式２枚検知装置が、前記２枚検知信号を出力した場合は、本印刷時における２枚検知装置として前記光電式２枚検知装置を採用し、前記２枚検知信号を出力しなかった場合は、本印刷時における２枚検知装置として前記超音波式２枚検知装置を採用すべく、本印刷時において採用する２枚検知装置を自動的に切り替える枚検知装置制御部を具備するものである。
【０００９】
上記構成の枚葉印刷機によれば、光電式２枚検知装置（印刷用紙に光を照射し、その透過光の差異により印刷用紙が２枚給紙状態か否かを検知する）と、超音波式２枚検知装置（印刷用紙に超音波を照射し、空気層の有無（紙片が２枚以上重なっていれば、その紙片間に空気層が生じる）により印刷用紙が２枚給紙状態か否かを検知する）とを具備しており、双方とも２枚給紙状態と判断した際に２枚検知信号を出力すべく取り付けられている。そして、本印刷前の試し印刷時（１枚のみ給紙）または本印刷時の先頭用紙供給時（連続給紙時の最初の１枚）に、超音波式２枚検知装置が２枚検知信号を出力するか否かを判定する。この際、２枚検知信号を出力した場合は、誤って検知する場合と判定され、２枚検知装置制御部により、本印刷時においては光電式２枚検知装置を採用すべく、２枚検知装置が切り替えられる。一方、２枚検知信号を出力しなかった場合は、適正に検知する場合と判定され、２枚検知装置制御部により、本印刷時においては引き続き超音波式２枚検知装置を採用すべく、制御される。
【００１０】
ここで、試し印刷時（または本印刷時の先頭用紙供給時）において超音波式２枚検知装置の検知結果に基づいて判断するのは、以下の理由による。というのは、光電式２枚検知装置においては、試し印刷時（または本印刷時の先頭用紙供給時）における印刷用紙からの透過光と本印刷時における印刷用紙からの透過光とを比較するため、試し印刷時（または本印刷時の先頭用紙供給時）に光電式２枚検知装置が２枚給紙状態として検知することはない。しかしながら、遮光性の印刷用紙や、透明の印刷用紙の場合には、本印刷時に２枚以上重なって給紙されても試し印刷時（または本印刷時の先頭用紙供給時）における透過光と比べても差異が生じ難く２枚給紙状態を検知できない（２枚検知信号を出力しない）場合がある。このような場合に光電式２枚検知装置を２枚検知装置として採用することは不適当である。すなわち、試し印刷時（または本印刷時の先頭用紙供給時）に２枚検知信号を出力しなかった印刷用紙であって、本印刷時において実際に２枚以上重なって給紙されたとき（２枚給紙状態となったとき）でも２枚検知信号を出力しない場合が生じ得る。したがって、試し印刷時（または本印刷時の先頭用紙供給時）の光電式２枚検知装置の結果に基づいて本印刷時に採用する２枚検知装置を判定することは困難である。これに対し、超音波式２枚検知装置においては、試し印刷時（または本印刷時の先頭用紙供給時）に２枚検知信号を出力しなかった印刷用紙（均質な紙片）であれば、本印刷時において実際に２枚以上重なって給紙されたとき（２枚給紙状態のとき）は必ず２枚検知信号を出力することができるため、試し印刷時（または本印刷時の先頭用紙供給時）の超音波式２枚検知装置の結果に基づいて本印刷時に採用する２枚検知装置を容易に判定することができる。
【００１１】
このように、試し印刷時または本印刷時の先頭用紙供給時の超音波式２枚検知装置の結果に基づいて本印刷時に採用する２枚検知装置を判定することにより、最適な２枚検知装置を選択し、より確実な２枚検知を行うための印刷準備をより迅速に行うことができる。
【００１２】
また、本発明に係る枚葉印刷機の他の形態は、印刷用紙が一度に２枚以上重なって供給される２枚給紙状態と判断した際に２枚検知信号を出力する光電式２枚検知装置および超音波式２枚検知装置を備えた枚葉印刷機であって、前記本印刷前の試し印刷時または本印刷時の先頭用紙供給時に、前記超音波式２枚検知装置が前記２枚検知信号を出力した場合は、本印刷時における２枚検知装置として前記光電式２枚検知装置を採用し、前記超音波式２枚検知装置が前記２枚検知信号を出力せず前記光電式２枚検知装置が前記２枚検知信号を出力した場合は、本印刷時における２枚検知装置として前記超音波式２枚検知装置を採用し、前記光電式２枚検知装置および前記超音波式２枚検知装置がともに前記２枚検知信号を検出しなかった場合は、本印刷時における２枚検知装置として前記光電式２枚検知装置および前記超音波式２枚検知装置の少なくともいずれか一方を採用すべく、本印刷時において採用する２枚検知装置を自動的に切り替える２枚検知装置制御部を具備するものである。
【００１３】
上記構成の枚葉印刷機によれば、光電式２枚検知装置（印刷用紙に光を照射し、その透過光の差異により印刷用紙が２枚給紙状態か否かを検知する）と、超音波式２枚検知装置（印刷用紙に超音波を照射し、空気層の有無（紙片が２枚以上重なっていれば、その紙片間に空気層が生じる）により印刷用紙が２枚給紙状態か否かを検知する）とを具備しており、双方とも２枚給紙状態と判断した際に２枚検知信号を出力すべく取り付けられている。そして、本印刷前の試し印刷時（１枚のみ給紙）または本印刷時の先頭用紙供給時（連続給紙時の最初の１枚）に、光電式２枚検知装置および超音波式２枚検知装置が２枚検知信号を出力するか否かを判定する。この際、超音波式２枚検知装置が２枚検知信号を出力した場合は、超音波式２枚検知装置では誤って検知する場合と判定され、２枚検知装置制御部により、本印刷時においては光電式２枚検知装置を採用すべく、２枚検知装置が切り替えられる。一方、超音波式２枚検知装置が２枚検知信号を出力しなかった場合であって光電式２枚検知装置が２枚検知信号を出力した場合は、光電式２枚検知装置では、適正に検知できない場合と判定され、２枚検知装置制御部により、本印刷時においては超音波式２枚検知装置を採用すべく、制御される。さらに、光電式２枚検知装置および超音波式２枚検知装置の双方が２枚検知信号をともに出力しなかった場合は、いずれの２枚検知装置であっても適正に検知できると判定され、２枚検知装置制御部により、本印刷時においては光電式２枚検知装置および超音波式２枚検知装置の少なくともいずれか一方（いずれか一方または双方とも）を２枚検知装置として採用すべく、制御される。
【００１４】
このように、試し印刷時または本印刷時の先頭用紙供給時における光電式２枚検知装置および超音波式２枚検知装置の結果の組み合わせに基づいて本印刷時に採用する２枚検知装置を判定することにより、最適な２枚検知装置を選択し、より確実な２枚検知を行うための印刷準備をより迅速に行うことができる。しかも、可能な限り２枚検知装置の双方を採用可能（併用可能）とすることにより、本印刷時においてもより確実な２枚検知を行うことができる。
【００１５】
また、本発明に係る枚葉印刷機のさらに他の形態は、印刷用紙が一度に２枚以上重なって供給される２枚給紙状態と判断した際に２枚検知信号を出力する光電式２枚検知装置および超音波式２枚検知装置を備えた枚葉印刷機であって、本印刷前の試し印刷時または本印刷時の先頭用紙供給時に、前記超音波式２枚検知装置が、前記２枚検知信号を出力した場合は、本印刷時における２枚検知装置として前記光電式２枚検知装置を採用し、前記２枚検知信号を出力しなかった場合は、本印刷時における２枚検知装置として前記超音波式２枚検知装置を採用すべく、オペレータに報知する報知部を具備するものである。
【００１６】
上記構成の枚葉印刷機によれば、光電式２枚検知装置（印刷用紙に光を照射し、その透過光の差異により印刷用紙が２枚給紙状態か否かを検知する）と、超音波式２枚検知装置（印刷用紙に超音波を照射し、空気層の有無（紙片が２枚以上重なっていれば、その紙片間に空気層が生じる）により印刷用紙が２枚給紙状態か否かを検知する）とを具備しており、双方とも２枚給紙状態と判断した際に２枚検知信号を出力すべく取り付けられている。そして、本印刷前の試し印刷時（１枚のみ給紙）または本印刷時の先頭用紙供給時（連続給紙時の最初の１枚）において、超音波式２枚検知装置が２枚検知信号を出力するか否かに応じて報知部によりオペレータに認識可能に報知する。この際、２枚検知信号を出力した場合は、誤って検知する場合と判定され、本印刷時においては光電式２枚検知装置を採用すべきであることを報知部より報知する。一方、２枚検知信号を出力しなかった場合は、適正に検知する場合と判定され、本印刷時においては引き続き超音波式２枚検知装置を採用すべきであることを報知部より報知する。
【００１７】
このように、試し印刷時または本印刷時の先頭用紙供給時の超音波式２枚検知装置の結果に基づいて本印刷時に採用すべき２枚検知装置を報知することにより、オペレータが最適な２枚検知装置を選択することができ、より確実な２枚検知を行うための印刷準備をより迅速に行うことができる。
【発明の効果】
【００１８】
本発明に係る枚葉印刷機によれば、試し印刷時または本印刷時の先頭用紙供給時の超音波式２枚検知装置の結果に基づいて本印刷時に採用する２枚検知装置を判定することにより、最適な２枚検知装置を選択し、より確実な２枚検知を行うための印刷準備をより迅速に行うことができる。
【発明を実施するための最良の形態】
【００１９】
以下、添付図面を参照しつつ、本発明を実施するための最良の形態について説明する。図１は本発明の第１実施形態に係る枚葉印刷機の部分概略図である。
【００２０】
本実施形態の枚葉印刷機は、図１に示すように、印刷用紙７が一度に２枚以上重なって供給される２枚給紙状態と判断した際に２枚検知信号を出力する光電式２枚検知装置１および超音波式２枚検知装置２を備えた枚葉印刷機であって、本印刷前の試し印刷時または本印刷時の先頭用紙供給時における前記超音波式２枚検知装置２の検知結果が、前記２枚検知信号を出力した場合は、本印刷時における２枚検知装置として前記光電式２枚検知装置１を採用し、前記２枚検知信号を出力しなかった場合は、本印刷時における２枚検知装置として前記超音波式２枚検知装置２を採用すべく、本印刷時において採用する２枚検知装置を自動的に切り替える２枚検知装置制御部３を具備するものである。
【００２１】
本実施形態においては、光電式２枚検知装置１または超音波式２枚検知装置２から出力された２枚検知信号を受信し、試し印刷時または本印刷時の先頭用紙供給時においては、超音波式２枚検知装置２から出力された２枚検知信号を２枚検知装置制御部３に送信する一方、本印刷時においては、２枚検知信号に基づいて印刷停止等の枚葉印刷機全体の制御を行う印刷制御部５を具備している。
【００２２】
また、本実施形態の２枚検知装置制御部３は、超音波式２枚検知装置２の検知結果（印刷制御部５を介して受信した２枚検知信号出力の有無）を判定する判定部３１と、当該判定部３１に基づいて光電式２枚検知装置１または超音波式２枚検知装置２のいずれかに自動的に切り替える切り替え部３２とを備える。なお、２枚検知装置制御部３の切り替え部３２は、判定部３１の判定結果に基づいて、本印刷時における２枚検知装置として光電式２枚検知装置１および超音波式２枚検知装置２のいずれかを採用すべく機械的またはソフトウェア的に切り替え可能に構成される。また、印刷制御部５および２枚検知装置制御部３（つまり、判定部３１および切り替え部３２）は、枚葉印刷機に接続された／内蔵されたコンピュータのＣＰＵにより実現可能である。
【００２３】
また、本実施形態においては、図１に示すように、印刷を行う印刷部４と、印刷部４へ印刷用紙７を一枚ずつ搬送するフィーダボード８と、フィーダボード８により搬送された印刷用紙７をフィーダボード８の端部で一旦停止させ、印刷用紙７の位置決めを行う前当て９と、位置決めされた印刷用紙７の前端部を掴み印刷部４へ印刷用紙７を供給するグリッパを備えたスイングアーム１０とをさらに具備する。光電式２枚検知装置１および超音波式２枚検知装置２は、前当て９により一旦停止した状態における印刷用紙７を２枚検知すべく、フィーダボード８の端部近傍に配設される。
【００２４】
なお、図１に示されていない枚葉印刷機の他の構成（給紙部や排紙部等）は、特に限定されるものではなく種々適用可能であり、ここではあえて図示しない。
【００２５】
上記構成の枚葉印刷機によれば、光電式２枚検知装置１（印刷用紙７に光を照射し、その透過光の差異により印刷用紙７が２枚給紙状態か否かを検知する）と、超音波式２枚検知装置２（印刷用紙７に超音波を照射し、空気層の有無（紙片が２枚以上重なっていれば、その紙片間に空気層が生じる）により印刷用紙７が２枚給紙状態か否かを検知する）とを具備しており、双方とも上記のように２枚給紙状態と判断した際に２枚検知信号を出力すべく取り付けられている。なお、光電式２枚検知装置１および超音波式２枚検知装置２のいずれの２枚検知装置においても、２枚給紙状態と判断したときに印刷制御部５に対して２枚検知信号を伝送する構成としてもよいし、適正な給紙が行われた１枚給紙状態と判断したときに印刷制御部５に対して１枚検知信号を伝送する構成としてもよい。
【００２６】
図２は本実施形態における２枚検知装置の制御方法を示すフローチャートである。ここでは、本印刷前の試し印刷時（１枚のみ給紙）において２枚検知装置を制御する場合について説明するが、本印刷時の先頭用紙供給時（連続給紙の最初の１枚）において２枚検知装置を制御する場合も同様である（いずれか一方の態様のみ採用することとしてもよいし、自動的またはオペレータの任意に切り替え可能に構成することとしてもよい）。
【００２７】
まず、本印刷（連続印刷）前の試し印刷を行うべく枚葉印刷機を作動させる（ステップＳ１）。このとき、２枚検知装置制御部３は、切り替え部３２により２枚検知装置として超音波式２枚検知装置２を採用すべく２枚検知装置を切り替え作動させる一方、フィーダボード８を介して前当て９まで印刷用紙７を供給させる。なお、試し印刷における印刷用紙７の供給は、オペレータにより手動で行うこととしてもよい。超音波式２枚検知装置２は、供給された印刷用紙７に対して２枚検知を行い、当該２枚検知の結果（２枚検知信号を出力する／しない）を印刷制御部５を介して２枚検知装置制御部３の判定部３１に伝送する。これを受けた２枚検知装置制御部３の判定部３１は、超音波式２枚検知装置２が２枚検知信号を出力したかどうかを判定する（ステップＳ２）。
【００２８】
試し印刷時において超音波式２枚検知装置２が２枚検知信号を出力した場合（ステップＳ２でＹｅｓ）、超音波式２枚検知装置２では誤って検知する場合と判定され、本印刷時においては光電式２枚検知装置１を採用すべく、判定部３１より切り替え部３２に対して２枚検知装置を切り替える旨の信号が伝送され、これを受けた切り替え部３２により２枚検知装置が切り替えられる（ステップＳ３ａ）。一方、２枚検知信号を出力しなかった場合（ステップＳ２でＮｏ）は、超音波式２枚検知装置２で適正に検知する場合と判定され、本印刷時においては引き続き超音波式２枚検知装置を採用すべく、判定部３１より切り替え部３２に対して２枚検知装置を維持する旨の信号が伝送される（ステップＳ３ｂ）。この後、ステップＳ３ａ，Ｓ３ｂにて切り替えられた適正な２枚検知装置を用いて２枚検知を行いつつ、本印刷が行われる（ステップＳ４）。
【００２９】
ここで、試し印刷時において超音波式２枚検知装置２の検知結果に基づいて判断するのは、以下の理由による。まず、以下に示す表は、光電式２枚検知装置１および超音波式２枚検知装置２のそれぞれについて、各種印刷用紙７を１枚給紙した際の２枚検知信号の出力の有無をＯＮ／ＯＦＦで示すものである。
【表１】
2005305886.tif 000003
【００３０】
光電式２枚検知装置１においては、各印刷用紙７とも２枚検知信号を出力せず、必ず１枚として検知される。というのは、光電式２枚検知装置１においては、試し印刷時における印刷用紙７からの透過光と本印刷時における印刷用紙７からの透過光とを比較するため、試し印刷時に光電式２枚検知装置１が２枚検知信号を出力することは原則としてない（例外は後述する）。しかしながら、遮光性の印刷用紙７（厚紙、アルミ、樹脂等を含む）や、透明の印刷用紙７の場合には、本印刷時に２枚以上重なって給紙されても試し印刷時における透過光と比べても差異が生じ難く２枚給紙状態を検知できない（２枚検知信号を出力しない）場合がある。
【００３１】
このような場合に光電式２枚検知装置１を２枚検知装置として採用することは不適当である。すなわち、試し印刷時に２枚検知信号を出力しなかった印刷用紙７であって、本印刷時において実際に２枚以上重なって給紙されたとき（２枚給紙状態となったとき）でも２枚検知信号を出力しない場合が生じ得る。したがって、試し印刷時の光電式２枚検知装置１の結果に基づいて本印刷時に採用する２枚検知装置を判定することは困難である。
【００３２】
これに対し、超音波式２枚検知装置２においては、封筒のような２重以上の構造となっているものについて２枚給紙状態であると誤って判断し、２枚検知信号を出力してしまうが、試し印刷時に２枚検知信号が出力されなかった印刷用紙７（均質な用紙）であれば、本印刷時において実際に２枚以上重なって給紙されたとき（２枚給紙状態となったとき）は必ず２枚検知信号を出力することができるため、試し印刷時の超音波式２枚検知装置２の結果に基づいて本印刷時に採用する２枚検知装置を容易に判定することができる。
【００３３】
このように、試し印刷時の超音波式２枚検知装置２の結果に基づいて本印刷時に採用する２枚検知装置を判定することにより、最適な２枚検知装置を選択し、より確実な２枚検知を行うための印刷準備をより迅速に行うことができる。
【００３４】
なお、本実施形態の切り替え部３２は、判定部３１の判定結果を採用するか否かを切り替えればよく、必ずしも２枚検知装置１，２のいずれかのみを作動させるべく切り替える必要はない。すなわち、例えば、試し印刷時または本印刷時を問わず、常に双方の２枚検知装置１，２により２枚検知を行うこととし、切り替え部３２によって採用されたいずれかの２枚検知装置による検知結果（２枚検知信号）のみをオペレータに報知することとしてもよい。
【００３５】
また、本実施形態において、現在、採用している２枚検知装置が光電式２枚検知装置１または超音波式２枚検知装置２のいずれであるかをＬＥＤ等による報知ランプ、報知ブザー等の報知部により報知することとしてもよい。これにより、オペレータが２枚検知装置制御部３により採用される２枚検知装置１，２を容易に確認することができ、より確実かつ信頼性の高い２枚検知を行うことができる。
【００３６】
ここで、上記表１において、試し印刷時に光電式２枚検知装置１が２枚検知信号を出力することは原則としてない旨説明したが、光電式２枚検知装置１の中には、遮光用紙のようなほとんど光を通さないものを検知すると判定不能であると判断し、これを２枚検知信号として出力するものも存在する。この場合、試し印刷時等において光電式２枚検知装置１を超音波式２枚検知装置２と併せて用いる構成も採用可能である。
【００３７】
すなわち、印刷用紙７が一度に２枚以上重なって供給される２枚給紙状態と判断した際に２枚検知信号を出力する光電式２枚検知装置１および超音波式２枚検知装置２を備えた枚葉印刷機であって、前記本印刷前の試し印刷時または本印刷時の先頭用紙供給時に、前記超音波式２枚検知装置２が前記２枚検知信号を出力した場合は、本印刷時における２枚検知装置として前記光電式２枚検知装置１を採用し、前記超音波式２枚検知装置２が前記２枚検知信号を出力せず前記光電式２枚検知装置１が前記２枚検知信号を出力した場合は、本印刷時における２枚検知装置として前記超音波式２枚検知装置２を採用し、前記光電式２枚検知装置１および前記超音波式２枚検知装置２がともに前記２枚検知信号を検出しなかった場合は、本印刷時における２枚検知装置として前記光電式２枚検知装置１および前記超音波式２枚検知装置２の少なくともいずれか一方を採用すべく、本印刷時において採用する２枚検知装置を自動的に切り替える２枚検知装置制御部３を具備する構成も採用可能である。
【００３８】
上記構成の枚葉印刷機によれば、超音波式２枚検知装置２が２枚検知信号を出力しなかった場合であり、かつ、光電式２枚検知装置１も２枚検知信号を出力しなかった場合（印刷用紙７が普通用紙の場合）、光電式２枚検知装置１および超音波式２枚検知装置２のいずれをも採用可能とすることができる（もちろん、場合によっていずれか一方のみを採用することも可能である）。
【００３９】
このように、試し印刷時（または本印刷時の先頭用紙供給時）における光電式２枚検知装置１および超音波式２枚検知装置２の結果の組み合わせに基づいて本印刷時に採用する２枚検知装置を判定することにより、最適な２枚検知装置を選択し、より確実な２枚検知を行うための印刷準備をより迅速に行うことができる。しかも、可能な限り２枚検知装置１，２の双方を採用可能（併用可能）とすることにより、本印刷時においてもより確実な２枚検知を行うことができる。
【００４０】
なお、この場合、透明用紙についても光電式２枚検知装置１および超音波式２枚検知装置２の少なくともいずれか一方を採用可能と判断され得るが、透明用紙について光電式２枚検知装置１を採用すると、上述した理由により、２枚検知ができないこととなるため不都合が生じ得る。しかしながら、透明用紙は、オペレータによって比較的容易に普通用紙等と判別可能であるため、別途強制的に超音波式２枚検知装置２を採用する構成（透明用紙の場合には試し印刷における判定結果に従わない構成）等により対応可能である。また、特に、透明用紙による印刷が初めから想定されていない場合等においては、試し印刷時等に光電式２枚検知装置１を併用する構成を採用することにより、最も一般的な普通用紙（遮光性の高い用紙でもなく封筒でもない印刷用紙７）について本印刷時に２つの２枚検知装置１，２を併用することができ、より確実な２枚検知を達成することができる。
【００４１】
続いて、本発明の他の実施形態について説明する。図３は本発明の第２実施形態に係る枚葉印刷機の部分概略図である。本実施形態が第１実施形態と異なるのは、本印刷前の試し印刷時または本印刷時の先頭用紙供給時に、前記超音波式２枚検知装置２が、２枚検知信号を出力した場合は、本印刷時における２枚検知装置として光電式２枚検知装置１を採用し、２枚検知信号を出力しなかった場合は、本印刷時における２枚検知装置として前記超音波式２枚検知装置２を採用すべく、オペレータに報知する報知部６を具備することである。
【００４２】
本実施形態においては、光電式２枚検知装置１または超音波式２枚検知装置２から出力された２枚検知信号を受信し、試し印刷時または本印刷時の先頭用紙供給時においては、超音波式２枚検知装置２から出力された２枚検知信号を受信する一方、本印刷時においては、２枚検知信号に基づいて印刷停止等の枚葉印刷機全体の制御を行う印刷制御部５と、超音波式２枚検知装置２の検知結果（印刷制御部５を介して受信した２枚検知信号出力の有無）を判定する判定部３１’と、オペレータが報知部６により報知された２枚検知装置に切り替えるための切り替え部３２’とを備える。なお、第１実施形態と同様の構成については図３においても同じ符号を付し、説明を省略する。
【００４３】
ここで、報知部６は、いずれの２枚検知装置１，２を採用すべきであるかオペレータに認識可能なものであれば種々適用可能である。例えば、報知ランプや報知ブザー等でもよいし、また、枚葉印刷機全体の制御管理用コンピュータに接続されたモニタ上で上記ランプ等の表示を行うＧＵＩ表示、テキスト表示、ブザー音発生等により報知することとしてもよい。もちろん、複数の報知手段を併用することも可能である。また、報知部６の報知態様も種々適用可能である。例えば、２つの報知ランプのうちいずれかを点灯させて報知したり、１つの報知ランプの点灯態様を変化させたり（切り替えが必要なときのみ点灯する等）等、所望の報知態様が採用可能である（報知ブザー等を採用した場合も同様である）。
【００４４】
図４は本実施形態における２枚検知装置の制御方法を示すフローチャートである。ここでも、第１実施形態と同様に、本印刷前の試し印刷時（１枚のみ給紙）において２枚検知装置を制御する場合について説明するが、本印刷時の先頭用紙供給時（連続給紙の最初の１枚）において２枚検知装置を制御する場合も同様である。
【００４５】
まず、本印刷（連続印刷）前の試し印刷を行うべく枚葉印刷機を作動させる（ステップＳ１１）。このときの２枚検知装置として超音波式２枚検知装置２を採用すべく自動制御される一方、第１実施形態と同様に、フィーダボード８を介して前当て９まで印刷用紙７を供給させる。供給された印刷用紙７に対して超音波式２枚検知装置２により２枚検知を行う。超音波式２枚検知装置２は、２枚検知の結果（２枚検知信号を出力する／しない）を印刷制御部５を介して判定部３１’に伝送し、判定部３１’において超音波式２枚検知装置２が２枚検知信号を出力したかどうかを判定する（ステップＳ１２）。
【００４６】
試し印刷時において超音波式２枚検知装置２が２枚検知信号を出力した場合（ステップＳ１２でＹｅｓ）、超音波式２枚検知装置２では誤って検知する場合と判定され、本印刷時においては光電式２枚検知装置を採用すべきであることを報知部６より報知する（ステップＳ１３ａ）。一方、２枚検知信号を出力しなかった場合（ステップＳ１２でＮｏ）は、超音波式２枚検知装置２で適正に検知する場合と判定され、本印刷時においては引き続き超音波式２枚検知装置２を採用すべきであることを報知部６より報知する（ステップＳ１３ｂ）。報知部６の報知を受けたオペレータは、報知部６の報知結果に基づいて切り替え部３２’を手動操作して、適正な２枚検知装置に切り替える（または維持する）（ステップＳ１４）。
【００４７】
なお、切り替え部３２’は、枚葉印刷機に備えられた切り替えレバーや切り替えボタンを操作することとしてもよいし、枚葉印刷機の管理制御用コンピュータにおける入力手段（マウス、キーボード、タッチパネル等）から入力することとしてもよい。また、ステップＳ１４において、オペレータにより報知部６の報知結果と異なる切り替え操作が行われた場合、報知部６および／または別の報知手段を用いてオペレータに警告すべく制御することとしてもよい。これにより、オペレータがより確実な信頼性の高い切り替え操作を行うことができる。
【００４８】
この後、ステップＳ１４にて切り替えられた適正な２枚検知装置を用いて２枚検知を行いつつ、本印刷が行われる（ステップＳ１５）。
【００４９】
このように、試し印刷時の超音波式２枚検知装置２の結果に基づいて本印刷時に採用すべき２枚検知装置を報知することにより、オペレータが最適な２枚検知装置を選択することができ、より確実な２枚検知を行うための印刷準備をより迅速に行うことができる。
【００５０】
ここで、本実施形態においても上述したような、試し印刷時等において光学式２枚検知装置１を併用する構成を採用することも可能である。すなわち、印刷用紙７が一度に２枚以上重なって供給される２枚給紙状態と判断した際に２枚検知信号を出力する光電式２枚検知装置１および超音波式２枚検知装置２を備えた枚葉印刷機であって、前記本印刷前の試し印刷時または本印刷時の先頭用紙供給時に、前記超音波式２枚検知装置２が前記２枚検知信号を出力した場合は、本印刷時における２枚検知装置として前記光電式２枚検知装置１を採用し、前記超音波式２枚検知装置２が前記２枚検知信号を出力せず前記光電式２枚検知装置１が前記２枚検知信号を出力した場合は、本印刷時における２枚検知装置として前記超音波式２枚検知装置２を採用し、前記光電式２枚検知装置１および前記超音波式２枚検知装置２がともに前記２枚検知信号を検出しなかった場合は、本印刷時における２枚検知装置として前記光電式２枚検知装置１および前記超音波式２枚検知装置２の少なくともいずれか一方を採用すべく、オペレータに報知する報知部６を具備する構成も採用可能である。
【００５１】
なお、上記２つの実施形態における枚葉印刷機は、それぞれ別個の枚葉印刷機として説明したが、上記２つの実施形態を適宜選択可能に構成された１つの枚葉印刷機とすることも可能である。
【図面の簡単な説明】
【００５２】
【図１】本発明の第１実施形態に係る枚葉印刷機の部分概略図である。
【図２】第１実施形態における２枚検知装置の制御方法を示すフローチャートである。
【図３】本発明の第２実施形態に係る枚葉印刷機の部分概略図である。
【図４】第２実施形態における２枚検知装置の制御方法を示すフローチャートである。
【符号の説明】
【００５３】
１…光電式２枚検知装置
２…超音波式２枚検知装置
３…２枚検知装置制御部、３１…判定部、３２…切り替え部
６…報知部
【図１】
2005305886.tif 000004
【図２】
2005305886.tif 000005
【図３】
2005305886.tif 000006
【図４】
2005305886.tif 000007